(57)【要約】【課題】移動装置のディスプレイの節電方法及び装置を提供することを目的とする。【解決手段】移動装置のディスプレイの電力消費を開示する。方法の実施例は、概して、移動装置のディスプレイ画面の表示画像を生成し、低減した電力消費状態に移動装置を遷移することを含む。低減した電力消費状態は、ディスプレイ画面の１つ以上の照明の要素の低減と、ディスプレイ画面の１つ以上のアニメーションの要素の低減とを含む。【選択図】図１
2011070643.tif 000002
【特許請求の範囲】
【請求項１】
移動装置のディスプレイ画面の表示画像を生成し、
低減した電力消費状態に前記移動装置を遷移することを有し、
前記低減した電力消費状態への遷移は、前記ディスプレイ画面の１つ以上の照明の要素の低減と、前記ディスプレイ画面の１つ以上のアニメーションの要素の低減とを含む方法。
【請求項２】
前記１つ以上の照明の要素及び前記１つ以上のアニメーションの要素の低減は、前記移動装置の前記ディスプレイ画面の形式に少なくとも部分的に基づく、請求項１に記載の方法。
【請求項３】
前記１つ以上の照明の要素の低減は、前記ディスプレイ画面の照明レベルの低減を含む、請求項１に記載の方法。
【請求項４】
前記１つ以上の照明の要素の低減は、背景又は前面の照明を、前の色より小さい電力を必要とする色に遷移することを含む、請求項１に記載の方法。
【請求項５】
前記１つ以上の照明の要素の低減は、前記ディスプレイ画面の背景の照明をオフすることを含む、請求項１に記載の方法。
【請求項６】
前記１つ以上の照明の要素の低減は、前記ディスプレイ画面の背景の照明の複数のセクタの全てより少ない１つ以上をオフすることを含む、請求項１に記載の方法。
【請求項７】
前記１つ以上の照明の要素の低減は、前記ディスプレイ画面の複数のセクタの全てより少ない１つ以上をオフすることを含む、請求項１に記載の方法。
【請求項８】
前記１つ以上のアニメーションの要素の低減は、アニメーションを、前の色より小さい電力を必要とする色に変更することを含む、請求項１に記載の方法。
【請求項９】
前記１つ以上のアニメーションの要素の低減は、アニメーションの一連の静止フレームを取得し、前記アニメーションを前記静止フレームの連続に置換することを含む、請求項１に記載の方法。
【請求項１０】
前記１つ以上のアニメーションの要素の低減は、アニメーションの単一の静止フレームを取得し、前記アニメーションを前記静止フレームに置換することを含む、請求項１に記載の方法。
【請求項１１】
１つ以上のアニメーションを含む要素を表示するディスプレイ画面と、
移動装置に電力を供給する内部電源と、
前記ディスプレイ画面の１つ以上の照明の要素の変更及び前記ディスプレイ画面の１つ以上のアニメーションの要素の変更を通じて、前記ディスプレイの動作に関する電力消費を低減する電力管理システムと
を有する移動装置。
【請求項１２】
前記電力管理システムは、前記移動装置のプロセッサを含む、請求項１１に記載の移動装置。
【請求項１３】
前記電力管理システムは、前記移動装置の専用電力管理要素を含む、請求項１１に記載の移動装置。
【請求項１４】
前記電力管理システムは、前記内部電源の電力状態に少なくとも部分的に基づいて、前記ディスプレイ画面の前記１つ以上の照明の要素及び前記ディスプレイ画面の前記１つ以上のアニメーションの要素の変更を次第に課すことにより、電力を低減する、請求項１１に記載の移動装置。
【請求項１５】
電力設定を含むメモリを更に有し、
前記電力管理システムは、前記電力設定に基づいて、前記ディスプレイ画面の前記１つ以上の照明の要素及び前記ディスプレイ画面の前記１つ以上のアニメーションの要素の変更を次第に課す、請求項１１に記載の移動装置。
【請求項１６】
前記内部電源は、充電可能バッテリである、請求項１１に記載の移動装置。
【請求項１７】
前記ディスプレイ画面は、バックライトなしに動作可能であり、前記１つ以上の照明の要素への変更は、背景の照明をオフすることを含む、請求項１１に記載の移動装置。
【請求項１８】
前記ディスプレイ画面は、有機発光ダイオード（OLED）である、請求項１１に記載の移動装置。
【請求項１９】
前記ディスプレイ画面は、バックライトを使用し、前記１つ以上の照明の要素への変更は、前記ディスプレイ画面の複数のセクタの全てより少ない１つ以上に対して前記バックライトをオフすることを含む、請求項１１に記載の移動装置。
【請求項２０】
位置決定要素を更に有し、
前記１つ以上の照明の要素及び前記１つ以上のアニメーションの要素の変更は、前記移動装置の物理的位置に少なくとも部分的に基づく、請求項１１に記載の移動装置。
【請求項２１】
１つ以上のアニメーションを含む要素を表示するディスプレイ画面と、
移動装置に電力を供給する内部電源と、
前記ディスプレイ画面の１つ以上の照明の要素の変更及び前記ディスプレイ画面の１つ以上のアニメーションの要素の変更を通じて、前記ディスプレイの動作に関する電力消費を低減する電力管理システムと、
前記ディスプレイ画面に表示するデータを含むデータを送信及び受信する送信機及び受信機と、
データを送信及び受信するダイポールアンテナと
を有するシステム。
【請求項２２】
複数の電力状態を含み、
前記複数の電力状態のうち１つ以上は、前記ディスプレイ画面の照明の要素及びアニメーションの要素の特定のレベルを含む、請求項２１に記載のシステム。
【請求項２３】
第１の電力状態から第２の電力状態への遷移は、電力消費を低減する照明の変更又は電力消費を低減するアニメーションの変更のうち１つ以上を含む、請求項２２に記載のシステム。
【請求項２４】
前記第２の電力状態への遷移は、１つ以上の前面又は背景の色を、表示するのに小さい電力を必要とする色に変更することを含む、請求項２３に記載のシステム。
【請求項２５】
前記第２の電力状態への遷移は、背景照明の排除を含む、請求項２３に記載のシステム。
【請求項２６】
前記第２の電力状態への遷移は、アニメーションを、取得した静止画の連続に変換することを含む、請求項２３に記載のシステム。
【請求項２７】
前記第２の電力状態への遷移は、アニメーションを、単一の静止画に変換することを含む、請求項２３に記載のシステム。
【請求項２８】
移動装置の電力管理システムであって、
ディスプレイ画面の１つ以上の照明の要素に変更を課すことにより、前記移動装置のディスプレイ画面により消費される電力を低減する第１の電力管理サブシステムと、
前記ディスプレイ画面の１つ以上のアニメーションの要素に変更を課すことにより、前記移動装置の前記ディスプレイ画面により消費される電力を低減する第２の電力管理サブシステムと
を有する電力管理システム。
【請求項２９】
前記第１の電力管理サブシステムにより課される前記ディスプレイ画面の前記１つ以上の照明の要素の変更は、
前記ディスプレイ画面の照明レベルの低減と、
背景又は前面の照明を、前の色より小さい電力を必要とする色に遷移することと、
前記ディスプレイ画面の背景の照明をオフすることと、
前記ディスプレイ画面の背景の照明の複数のセクタの全てより少ない１つ以上をオフすることと、
前記ディスプレイ画面の複数のセクタの全てより少ない１つ以上をオフすることと
のうち１つ以上を含む、請求項２８に記載の電力管理システム。
【請求項３０】
前記第２の電力管理サブシステムにより課される前記ディスプレイ画面の前記１つ以上のアニメーションの要素の変更は、
アニメーションを、前の色より小さい電力を必要とする色に変更することと、
アニメーションの一連の静止フレームを取得し、前記一連の静止画を複数のレジスタに格納し、前記アニメーションを前記静止画の連続に置換することと、
アニメーションの単一の静止フレームを取得し、前記アニメーションを前記静止フレームに置換することと
のうち１つ以上を含む、請求項２８に記載の電力管理システム。
【発明の詳細な説明】
【技術分野】
【０００１】
本発明の実施例は、概して電子装置の分野に関し、特に移動装置のディスプレイの節電方法及び装置に関する。
【背景技術】
【０００２】
携帯電話、スマートフォン、パーソナルデジタルコンピュータ及び他の同様の装置を含む移動装置は、装置が動作において高機能及び柔軟的になるにつれて、多くの異なる分野及び活動でますます使用されて頼りにされている。移動装置の移動性及び接続性により、移動装置は、より大きいコンピュータの代理として動作することが可能になり、また、通信及び娯楽機能を実行することが可能になっている。
【０００３】
他の特性に加えて、新しい装置のグラフィック機能もまた高機能になっており、幅広いアニメーションを含み、このような装置のユーザにとって複雑な視覚表示を可能にしている。
【発明の概要】
【発明が解決しようとする課題】
【０００４】
しかし、移動装置の処理能力及びグラフィック表示は、電力消費を犠牲にしている。移動装置の限られたサイズは、電力の貯蔵を制限しており、装置の移動性及び多様な利用性は、しばしば充電の機会を制限している。従って、装置は極めて有用であるが、有用性は電力消費により制限される可能性がある。
【０００５】
本発明は、移動装置のディスプレイの節電方法及び装置を提供することを目的とする。
【課題を解決するための手段】
【０００６】
本発明の方法は、
移動装置のディスプレイ画面の表示画像を生成し、
低減した電力消費状態に前記移動装置を遷移することを有し、
前記低減した電力消費状態への遷移は、前記ディスプレイ画面の１つ以上の照明の要素の低減と、前記ディスプレイ画面の１つ以上のアニメーションの要素の低減とを含むことを特徴とする。
【発明の効果】
【０００７】
本発明の実施例によれば、移動装置のディスプレイの節電方法及び装置を提供することが可能になる。
【図面の簡単な説明】
【０００８】
【図１】移動装置又はシステムの電力管理の実施例の状態図
【図２】移動装置又はシステムの照明電力管理処理の実施例を示すフローチャート
【図３】移動装置又はシステムの照明電力管理処理の実施例を示すフローチャート
【図４】移動装置又はシステムのディスプレイ画面の図
【図５】移動装置又はシステムの実施例
【発明を実施するための形態】
【０００９】
本発明の実施例について限定的ではなく、一例として説明する。添付図面において、同様の参照符号は同様の要素を示す。
【００１０】
本発明の実施例は、概して移動装置のディスプレイの節電を対象とする。
【００１１】
ここで“移動装置又はシステム”とは、携帯電話、スマートフォン、パーソナルデジタル装置、ハンドヘルド型コンピュータを含む移動電子装置又はシステムを意味する。
【００１２】
或る実施例では、移動装置又はシステムは、電力消費の体系化された低減を通じて、ディスプレイに関する電力消費を低減し、電力の必要性が減少したときにユーザ経験の喪失を最小化させる。或る実施例では、移動装置又はシステムは、状況が認めるときに、ディスプレイの電力消費を次第に低減する。
【００１３】
移動装置又はシステムを含む電子装置のユーザインタフェースは、ますます高度且つ複雑になっている。この一般的な傾向の１つの側面は、幅広いビデオ及び描画3D（三次元）オブジェクト及び環境を組み込んだアニメーション化インタフェースへの進展である。しかし、このようなアニメーション化インタフェース要素を生成するために必要な処理電力（従って、電力dr）は、相当になり得る。複雑なアニメーションの処理電力は、ハンドヘルド装置でしばしば利用可能であるが、処理電力の継続した使用は、容認できない短い電池寿命をもたらす可能性がある。
【００１４】
携帯電話及びPDAのような移動装置により提供されるますます高度な機能と足並みを揃えるために、移動装置の製造者は、移動装置の特定の電力消費動作に対処することがある。このような装置では、推定された非活動期間中にディスプレイの電力消費を低減するために、一般的にスクリーンセーバが使用されている。しかし、スクリーンセーバの手法は、電力消費の粗い管理のみを提供し、スクリーンセーバは、一般的に、(1)ディスプレイが全電力を引き出し、ユーザがディスプレイと完全な相互作用を提供されている状態、又は(2)ディスプレイがかなり少ない電力を引き出しているが、ユーザがディスプレイと相互作用を提供されていない状態の２つのみの状態を提供する。或る実施例では、移動装置又はシステムは、その代わりに細かい応答を提供し、非限定的に、アイテムの色の変更、背景の色の変更、特定のセクタのオフ、画像の排除、アニメーションの低減又は排除及びディスプレイの明るさの低減を含む動作を行うことにより、移動装置又はシステムに関する電力消費を次第に低減するように動作する。
【００１５】
或る実施例では、移動装置又はシステムは、電力消費又は管理機能又は要素を含む。或る実施例では、移動装置は、残りのバッテリレベルとコアの処理と利用可能なCPU（central  processing  unit）サイクルとの間の関係に基づいて、１つ以上の照明及びアニメーション化コンテンツの要素をゆっくり選択的に停止する。従って、バッテリ寿命が減少したとき又は設定が変更されたときに、装置のユーザインタフェースは、明るさが小さくなり、アニメーションが少なくなる（背景のビデオの代わりに静止画の表示、アニメーション化アイコンの代わりに静的なアイコン、コンテンツ画面の間の遷移がグラフィック的に弱くなる）。
【００１６】
或る実施例では、移動装置又はシステムは、移動装置に含まれるディスプレイ画面の形式に少なくとも部分的に基づく電力消費の低減を提供する。或る実施例では、移動装置又はシステムは、ディスプレイ画面が部分的に明るくされているときに電力消費の低減を可能にするディスプレイ画面を含み、電力消費を低減するためにディスプレイ画面の特性を利用する。或る実施例では、移動装置は、有機発光ダイオード（OLED）ディスプレイを含んでもよい。液晶ディスプレイ（LCD）画面のような移動装置の技術とは異なり、OLEDディスプレイは、機能するためにバックライトを必要としない。バックライトを必要としないこのようなディスプレイの動作は、低い電力消費での動作を含む複数の利点を提供し得る。
【００１７】
或る実施例では、バッテリ又は他の同様の内部電源により電力供給される移動装置又はシステムは、必要に応じてポータブル（バッテリ電力の）装置のディスプレイを部分的に明るくする処理又はシステムを提供する。或る実施例では、移動装置は、OLEDディスプレイ画面を含み、従って、バックライトを必要とせずに動作するこのような画面では、画面の特定の部分のみを明るくすることが可能であるため、全体の電力消費を低減する。或る実施例では、明るくされたディスプレイの部分は、表示されるコンテンツに少なくとも部分的に基づいて決定される。例えば、入来呼が受信されて、入来呼の電話番号が表示される場合、移動装置は、入来呼の電話番号を実際に提供する部分のみを明るくしてもよい。従って、ディスプレイの補完的な部分の照明に関する電力が節約される。
【００１８】
LCDディスプレイのような異なる形式のディスプレイ画面が利用される或る実施例では、このようなディスプレイのバックライト又は背景照明は、ディスプレイの未使用の部分で暗くなってもよい。一実施例では、移動装置のディスプレイのバックライトは、セクタに分割され、動作中のセクタのバックライトが明るくなってもよい。例えば、ディスプレイは左半分と右半分とに分割されてもよく、左半分及び右半分は、カーソルの位置に基づいて選択に明るくなってもよい。
【００１９】
或る実施例では、移動装置のプロセッサ又は専用電力管理要素の１つ以上を含む移動装置の電力管理システムは、ハンドヘルド装置の高度なアニメーション化ユーザインタフェースに関連して引き出される電力の低減を提供する。或る実施例では、電力管理システムは、使用している特定のディスプレイ技術について低減した電力を引き出すように、表示されるアニメーションを調整する。例えば、OLEDディスプレイにより引き出される電力は、黒色の上の白色のアニメーションより頻繁に黒色の上の赤色、緑色又は青色のアニメーションを組み込み、比較的多く電力を使う白色の上の黒色及び白色の上のカラーより頻繁に黒色の上の白色のアニメーションを組み込むことにより最小化されてもよい。或る実施例では、アニメーションは、主プロセッサ又はCPU（central  processing  unit）のサイクルを最小化させるために、別々のグラフィック処理ユニット（GPU：graphics  processing  unit）により実行される。
【００２０】
更に、或る実施例では、本発明により、提示される照明及びアニメーションのレベルの調整（一式の電力管理プレファレンス内でのディスプレイ動作のレベルの指定等）が可能になる。例えば、“ローミング”電力設定（ユーザが長期間に充電の電源から遠くにいることが想定される場合）は、長いバッテリ寿命を提供するために、低いアニメーションレベルを指定してもよい。逆に、“家”又は“全電力”電力設定は、家庭環境で充電が容易であるため、完全なアニメーションを指定してもよい。或る実施例では、移動装置はまた、装置の現在位置の認識に基づいてアニメーションレベルを自動的に調整してもよい。或る実施例では、アニメーションレベルの調整はまた、（装置の位置に基づいてローミング設定を起動すること等により）移動装置の電力設定定義を介して、測定されたバッテリ充電に応じて直接的に行われてもよく（バッテリ不足が差し迫っている場合にアニメーションが低減されてもよい）、日時に応じて行われてもよい（例えば、すぐに充電が想定される１日の終わりに近いときにアニメーションが向上してもよい）。或る実施例では、移動装置は、所望のバッテリ寿命に基づいて、予測的にアニメーションの量を調整してもよい。
【００２１】
或る実施例では、アニメーションは、最小の電力を引き出すように単一のアイコン又は一連のアイコンに変換されてもよい。一例では、ディスプレイの要素は、かなりのプロセッサ又はビデオプロセッサの計算を必要とする比較的複雑なアニメーションでもよい。或る実施例では、移動装置は、アニメーションを置換する単一のアイテムを生成するために、アニメーションの単一のフレーム又は要素を選択してもよい。或る実施例では、移動装置は、アニメーションのパターンを認識し、元のアニメーションの簡単なバージョンを反映するアニメーションの一連のフレーム又は静止画を格納してもよい。或る実施例では、移動装置は、アニメーションの一連のフレームを、例えば一式のレジスタに格納し、移動装置は、簡単な電力の少ないアニメーションを生成するために、元のアニメーションをアニメーションのフレームの連続に置換する。
【００２２】
図１は、移動装置又はシステムの電力管理の実施例の状態図である。この図において、１つ以上のディスプレイ画面105を有する移動装置100は、どの照明及びアニメーション電力管理処理を利用するかを決定するために、複数の異なる状態を利用する。図面には特定の状態が記載されているが、実施例はこれらの状態に限定されない。移動装置又はシステムの実施例は、異なる状態又は異なる数の状態を含んでもよい。
【００２３】
或る実施例では、状態は、フル稼働状態110を含んでもよい。フル稼働状態110は、電力の制限に関して最小の懸念が存在する場合に入ってもよい。或る実施例では、移動装置が電源にプラグ接続されている場合、特に、移動装置が電源にプラグ接続されており、バッテリレベルが特定のレベルより上に上昇した場合に、この状態が使用されてもよい。或る実施例では、移動装置はまた、例えば、充電のために電源が容易に利用可能である家庭環境で装置が使用されているときに、フル稼働状態に置かれてもよい。或る実施例では、フル稼働状態の間に、移動装置は、照明又はアニメーションに制限を課さず、全てのアプリケーション及び処理は、完全な照明及び完全なアニメーションを使用してもよい。図示のように、移動装置は、電源に接続されたときに、他の状態からフル稼働状態に戻ってもよい。
【００２４】
或る実施例では、状態は、通常電力消費状態115を含んでもよい。通常電力消費状態115は、移動装置が（外部電源に接続されておらず）バッテリ電力で動作しており、比較的十分なバッテリ充電を有するが、例えば家庭環境内に存在しない場合に入ってもよい。このような状態の間に、移動装置は、ほとんどのアニメーション及び照明を可能にするが、非常に高い電力消費を回避するための制限を有する。例えば、移動装置は、通常消費状態で完全なディスプレイの明るさを許容しなくてもよい。
【００２５】
或る実施例では、状態は、控えめ電力消費状態120を含んでもよい。控えめ電力消費状態120は、移動装置が“ローミング”状態にあり、電源の近くにいない可能性がある場合、又は装置がユーザにより控えめ電力消費状態に設定された場合に入ってもよい。このような状態で、移動装置は、アニメーション及び照明を低減する動作を行ってもよい。例えば、移動装置は、照明の色を電力の小さい選択肢に変更してもよく、アニメーションの発生頻度を低減してもよい。一例では、移動装置は、アニメーションが比較的反復性があることを検出してもよく、アニメーションの特定の数のフレームを格納してもよく、プロセッサ又はビデオプロセッサがアニメーションを生成可能にするのではなく、フレームを進めてもよい。
【００２６】
或る実施例では、状態は、低電力消費状態125を含む。低電力消費状態125は、バッテリが中間レベルまで使い果たされた場合、又は移動装置が長いバッテリ寿命の設定に設定された場合に入ってもよい。このような状態では、移動装置は、最小のアニメーションのみを許容してもよく、場合によってはアニメーションを静止画に置換する。更に、ディスプレイの特定のセクタのみの照明のように、必要な場合のみの照明のバックライトを含む低レベルの照明のみが利用される。
【００２７】
或る実施例では、状態は、最小電力消費状態130を含む。最小電力消費状態130は、少しのバッテリ寿命しか残っていない場合に入ってもよい。或る状態では、移動装置は、全てのアニメーションを排除し、低電力の色のみを使用し、簡単に通知及び警告を表示するために必要なディスプレイ画面のみを明るくしてもよい。
【００２８】
図２は、移動装置又はシステムの照明電力管理処理の実施例を示すフローチャートである。或る実施例では、照明電力管理処理200は、移動装置のユーザへの影響を最小化しつつ、電力消費を次第に低減する一連の手段を含む。或る実施例では、手段は、図３に示す手段と組み合わせて実施される。特定の一連の手段が一例として提供されているが、実施例はこれらの手段又は特定の実施順序に限定されない。或る実施例では、移動装置は、完全な照明205で始まってもよい。この場合、照明レベル又は色について電力に関する制限は存在しない。或る実施例では、ディスプレイ画面の全体の明るさを低減し210、白色背景の上の黒色のような色の組み合わせを含む高い電力照明の選択肢を低減し215、電力の小さい選択肢に照明の色を調整し220、全体の電力消費が低減されるように、ディスプレイの特定のセクタのバックライトを排除し225、最小の電力を利用する色まで照明を更に低減し230、ディスプレイ画面の動作中の領域のみにバックライトを使用し235、必要な通知及び警告以外の全ての照明を排除する240ことにより、移動装置は電力照明の低減を次第に課してもよい。
【００２９】
図３は、移動装置又はシステムのアニメーション電力管理処理の実施例を示すフローチャートである。或る実施例では、アニメーション電力管理処理300は、移動装置のユーザへの影響を最小化しつつ、電力消費を次第に低減する一連の手段を含む。或る実施例では、手段は、図２に示す手段と組み合わせて実施される。特定の一連の手段が一例として提供されているが、実施例はこれらの手段又は特定の実施順序に限定されない。或る実施例では、移動装置は、完全なアニメーション305で始まってもよい。完全なアニメーション305では、アニメーションについて電力に関する制限は存在しない。或る実施例では、アニメーションの全体の明るさを低減し310、まだ行われていない場合にはアニメーションの処理をCPUから専用ビデオプロセッサにシフトし315、アニメーションの色を小さい電力の色に調整し320、特定のアニメーションが反復性があることを決定し、アニメーションの複数のフレーム又は画像を格納して、処理を必要とせずに進行され325、アニメーションのない単一のアイコンまでアニメーションを更に制限し330、全てのアニメーションをオフにする335ことにより、移動装置は電力消費の低減を次第に課してもよい。
【００３０】
図４は、移動装置又はシステムの実施例のディスプレイ画面の図である。この図において、移動装置のディスプレイ画面400は、１つ以上の状態の位置405を含んでもよい。或る実施例では、１つ以上の状態は、状態が変化したときに必要な場合にのみ明るくなるような、最低電力消費状態で必要に応じて表示されてもよい。或る実施例では、ディスプレイ画面400は、アプリケーションテキスト410を含んでもよい。アプリケーションテキスト410は、特定の色の組み合わせで表示されてもよい。或る実施例では、移動装置は、必要に応じて小さい電力消費の色を使用するように、アプリケーションテキストを変更してもよい。或る実施例では、ディスプレイ画面は、入来呼の警告415のような警告を含んでもよい。或る実施例では、移動装置は、他の画面の照明なしに警告のみを表示し、限られた期間に警告のみを表示することにより、最小のレベルまで電力を低減してもよい。或る実施例では、ディスプレイ画面400は、１つ以上の写真420を含んでもよい。写真420は、次第に色が変化してもよく、電力消費が低減するように排除されてもよい。更に、ディスプレイ画面は、１つ以上の大きいアニメーション425と、アニメーション化されてもよい１つ以上のアイコン430-440とを含んでもよい。これらは、色を変更することにより、アニメーションを近似するように進行される一連の静止画にアニメーションを変更することにより、及びアニメーションをアニメーションのない静止画に置換することにより、電力消費で次第に低減されてもよい。ディスプレイ画面400はまた、背景照明450（何らかのディスプレイ技術のバックライトを含む）を含んでもよい。背景照明450は、背景照明の色の変更と、ディスプレイ画面405の特定のセクタの背景照明のオフとを含み、電力消費を低減するように変更されてもよい。
【００３１】
図５は、移動装置又はシステムの実施例を示している。この図では、移動装置500は、装置又はシステムのディスプレイ画面により生じる電力消費を低減する要素を含む。或る実施例では、移動装置500は、データを送信及び受信する１つ以上の送信機502及び受信機504を含む。或る実施例では、移動装置は、データ送信及び受信用の１つ以上のアンテナ506を含む。アンテナは、ダイポール及びモノポールアンテナを含んでもよい。移動装置500は、非限定的に、グラフィカルユーザインタフェース（GUI）を含むユーザインタフェース508を更に含んでもよい。ユーザインタフェース508は、幅広いアニメーションの使用を含んでもよい。移動装置500は、非限定的に、GPS受信機510とGPS回路512とを含む物理的位置を決定する１つ以上の位置決定要素を更に含んでもよい。或る実施例では、位置決定要素は、ネットワーク検出要素を含んでもよい。位置決定要素は、装置が家庭環境にある場合、又は装置がローミングしており、外部電源の近くにない可能性がある場合の決定のように、移動装置500の電力管理の位置を決定するために使用されてもよい。
【００３２】
移動装置500は、１つ以上のメモリ又は一式のレジスタ520を更に含んでもよい。１つ以上のメモリ又は一式のレジスタ520は、不揮発性メモリ（フラッシュメモリ及び他の形式のメモリ等）を含んでもよい。メモリ又はレジスタ520は、１つ以上のアプリケーション522を含んでもよい。アプリケーション522は、様々なアプリケーションと、装置の１つ以上の電力設定524（控えめ電力消費及び最大バッテリ寿命の設定等）と、プロセッサ集約的なアニメーションを繰り返しの少ない画像に置換するために使用され得るアニメーションの画像を格納するレジスタ526とを利用してもよい。
【００３３】
移動装置500は、ディスプレイ530及びディスプレイ回路532を含んでもよい。ディスプレイ530及びディスプレイ回路532は、必要に応じて電力消費を低減するように対処されてもよい。或る実施例では、移動装置500は、移動装置500の電力消費に関する命令を含む命令を実行する１つ以上のプロセッサ540を更に含んでもよい。或る実施例では、移動装置500は、電力管理システム又は要素550を含んでもよい。電力管理システム又は要素550は、ディスプレイにより作られる照明の制限により電力消費を低減する第１の電力管理部又はサブシステム552と、ディスプレイにより作られるアニメーションの制限により電力消費を低減する第２の電力管理部又はサブシステム554とを含んでもよい。移動装置500は、バッテリパック560又は他の同様の移動電源を更に含む。バッテリパック560又は他の同様の移動電源は、標準的な家庭用又は自動車用電源アウトレットのような外部電源564に接続されたバッテリ充電器562に接続されてもよい（又は含んでもよい）。
【００３４】
前述の説明では、説明の目的で、本発明の完全な理解を提供するために、複数の特定の詳細が示されている。しかし、本発明は、これらの特定の詳細の一部なしに実施されてもよいことが当業者に明らかである。他の場合にも、周知の構造及び装置は、ブロック図の形式で示されている。図示の構成要素の間に中間の構造が存在してもよい。ここに記載又は図示の構成要素は、図示又は記載されていない更なる入力又は出力を有してもよい。
【００３５】
本発明の様々な実施例は、様々な処理を含んでもよい。これらの処理は、ハードウェア構成要素により実行されてもよく、コンピュータプログラム又は機械実行可能命令により実現されてもよい。コンピュータプログラム又は機械実行可能命令は、命令でプログラムされた汎用目的若しくは専用目的プロセッサ又は論理回路に対して処理を実行させるために使用されてもよい。代替として、処理は、ハードウェアとソフトウェアとの組み合わせにより実行されてもよい。
【００３６】
本発明の様々な実施例の部分は、コンピュータプログラムプロダクトとして提供されてもよい。コンピュータプログラムプロダクトは、コンピュータプログラム命令を格納したコンピュータ可読媒体を含んでもよい。コンピュータプログラム命令は、本発明の実施例による処理を実行する１つ以上のプロセッサによる実行のために、コンピュータ（又は他の電子装置）をプログラムするために使用されてもよい。コンピュータ可読媒体は、非限定的に、フロッピー（登録商標）ディスク、光ディスク、CD-ROM（compact  disk  read-only  memory）、光磁気ディスク、読み取り専用メモリ（ROM）、ランダムアクセスメモリ（RAM）、消去可能プログラム可能読み取り専用メモリ（EPROM）、電気的消去可能プログラム可能読み取り専用メモリ（EEPROM）、磁気若しくは光カード、フラッシュメモリ、又は電子命令を格納するのに適した他の形式のコンピュータ可読媒体を含んでもよい。更に、本発明は、コンピュータプログラムプロダクトとしてダウンロードされてもよい。プログラムは、遠隔コンピュータから要求側のコンピュータに転送されてもよい。
【００３７】
多くの方法は、最も基本的な形式で記載されているが、本発明の基本的な範囲を逸脱することなく、処理は、方法のいずれかに追加されてもよく、方法のいずれかから削除されてもよい。また、情報は、記載のメッセージのいずれかに追加又は削除されてもよい。多くの更なる変更及び応用が行われてもよいことが当業者に明らかである。特定の実施例は、本発明を制限するためではなく、例示するために提供されている。本発明の実施例の範囲は、前述により提供される特定の例により決定されるのではなく、特許請求の範囲のみにより決定される。
【００３８】
要素“A”が要素“B”に結合されると記載されている場合、要素Aは、要素Bに直接的に結合されてもよく、例えば要素Cを通じて間接的に結合されてもよい。明細書又は特許請求の範囲に、構成要素、特徴、構造、処理又は特性Aが構成要素、特徴、構造、処理又は特性Bを行わせると記載されている場合、“A”は“B”を少なくとも部分的に行わせることを意味し、“B”を行わせる際に助けになる少なくとも１つの他の構成要素、特徴、構造、処理又は特性が存在してもよい。構成要素、特徴、構造、処理又は特性が含まれてもよいと明細書に示されている場合、その特定の構成要素、特徴、構造、処理又は特性は、含まれる必要がない。明細書又は特許請求の範囲が単一の要素を示す場合、これは、唯一の記載の要素しか存在しないことを意味するのではない。
【００３９】
実施例は、本発明の実装又は例である。明細書での“実施例”、“一実施例”、“或る実施例”又は“他の実施例”への言及は、実施例に関して記載した特定の構成要素、特徴、構造、処理又は特性が少なくとも１つの実施例に含まれることを意味するが、必ずしも全ての実施例に含まれることを意味しない。“実施例”、“一実施例”又は“或る実施例”が様々な場所に現れることは、必ずしも同じ実施例を示しているとは限らない。本発明の例示的な実施例の前述の説明において、開示を円滑にして、様々な本発明の態様の１つ以上を理解するのを助ける目的で、様々な特徴は、場合によっては単一の実施例、図面又はその説明にグループ化されていることがわかる。しかし、この開示の方法は、本発明が各請求項に明示的に記載されたもの以外の特徴を必要とするという意図を反映するものとして解釈されるべきではない。むしろ、特許請求の範囲が反映する通り、本発明の概念は、単一の前述の開示された実施例の全ての特徴より少ないものにある。従って、特許請求の範囲は明示的にこの説明に組み込まれ、各請求項が本発明の別個の実施例として成立する。
【符号の説明】
【００４０】
100  移動装置
105  ディスプレイ画面
110  フル稼働状態
115  通常電力消費状態
120  控えめ電力消費状態
125  低電力消費状態
130  最小電力消費状態
【図１】
2011070643.tif 000003
【図２】
2011070643.tif 000004
【図３】
2011070643.tif 000005
【図４】
2011070643.tif 000006
【図５】
2011070643.tif 000007
【外国語明細書】
2011070643000001.pdf
2011070643000002.pdf
2011070643000003.pdf
2011070643000004.pdf